Podtech/llm-jp-corpus-v4-ja_patent huggingface dataset:
(57)【要約】【課題】ＦＰＣの外観検査を自社工場で行うと、海外に比べて人件費が高く、コストアップになるだけでなく、自社工場の人員が足りない場合には、対応が難い。また、ネットワークにより委託先で外観を検査する方法は、今迄開示されていない。【解決手段】離れた場所の委託先で外観検査を行うネットワークシステムにおいて、予め、送信側ＰＣと受信側ＰＣを接続して受信側マウスで送信側カメラを操作できるように設定しておき、検査前製品ストックより、製品を１枚毎に検査ヤードに搬送し、送信側ＰＣに自動読み込みをする第１工程と、受信側マウスをＸＹ移動することにより、外観検査の画像を受信側のＰＣに取り込む第２工程と目視検査を行う第３工程と良品と不良品に区分けした検査結果データを、受信側キーボード操作により、夫々、送信側ＰＣに搬出する第４工程からなり、人員不足の解消やコスト低減が可能な委託先によるネットワーク外観検査システム。【選択図】図１
2007094771.tif 000002
【特許請求の範囲】
【請求項１】
離れた場所の委託先で外観検査を行うネットワークシステムにおいて、予め、送信側ＰＣと受信側ＰＣを接続して受信側マウスで送信側カメラを操作できるように設定しておき、
検査前製品ストックより、製品を１枚毎に検査ヤードに搬送し、送信側ＰＣに自動読み込みをする第１工程と、
受信側マウスをＸＹ移動することにより、外観検査の画像を受信側のＰＣに取り込む第２工程と
目視検査を行う第３工程と
良品と不良品に区分けした検査結果データを、受信側キーボード操作により、それぞれ、送信側ＰＣに搬出する第４工程からなることを特徴とする委託先によるネットワーク外観検査システム。
【発明の詳細な説明】
【技術分野】
【０００１】
本発明は、インターネットに代表されるネットワーク網により、ＦＰＣ（フレキシブルプリント配線板）等の外観検査の画像データを離れた場所の委託先に取り込み、委託先で外観検査を行うことにより、人員不足の解消やコスト低減を可能にする委託先によるネットワーク外観検査システムに関する。
【背景技術】
【０００２】
現在、ＦＰＣ等の外観検査は、自社工場の検査工程内で行っているのが一般的である。また、先行技術を調査した結果、離れた場所の委託先で外観検査を行うネットワークシステムの方法は、今迄開示されていないことがわかった。
【発明の開示】
【発明が解決しようとする課題】
【０００３】
解決しようとする課題は、ＦＰＣ等の外観検査を自社工場で行うと、海外に比べて人件費が高く、コストアップになるだけでなく、自社工場の人員が足りない場合には、対応が難い。また、ネットワークにより委託先で外観を検査する方法は、今迄開示されていない。
【課題を解決するための手段】
【０００４】
本発明は、離れた場所の委託先で外観検査を行うネットワークシステムにおいて、予め、送信側ＰＣと受信側ＰＣを接続して受信側マウスで送信側カメラを操作できるように設定しておき、
検査前製品ストックより、製品を１枚毎に検査ヤードに搬送し、送信側ＰＣに自動読み込みをする第１工程と、
受信側マウスをＸＹ移動することにより、外観検査の画像を受信側のＰＣに取り込む第２工程と
目視検査を行う第３工程と
良品と不良品に区分けした検査結果データを、受信側キーボード操作により、それぞれ、送信側ＰＣに搬出する第４工程からなる委託先によるネットワーク外観検査システムであり、人員不足の解消やコスト低減を可能にする。
【発明の効果】
【０００５】
本発明の委託先によるネットワーク外観検査システム１は、
１．人員不足の解消やコスト低減がはかれる。
２．同じ会社でも、工場によって人員に差があり、余剰人員をかかえている工場の場合や人件費の安い海外子会社等に特に、有効である。
３．委託先が、余剰人員をかかえている場合には、双方にとってメリットが得られる。
という利点があるので、その工業的価値は大なるものがある。
【発明を実施するための最良の形態】
【０００６】
以下、本発明の委託先によるネットワーク外観検査システム１の実施例としてＦＰＣを代表例にとり説明する。また、ネットワーク網の代表例としてインターネットを例に取り、添付図面を参照して詳細に説明する。
【実施例１】
【０００７】
始めに、図１（イ）は、本発明の委託先によるネットワーク外観検査システム１の概略図である。図から明らかなように、予め、送信側ＰＣと受信側ＰＣを接続して受信側マウス３で送信側カメラを操作できるように設定しておく。
次に、受信側マウス３をＸＹ移動することにより、外観検査の画像を拡大して受信側ＰＣに取り込む。
更に、画像表示した状態で、目視検査を行い、良品と不良品に区分けした検査結果データを受信側ＰＣのキーボード操作で送信側ＰＣに搬出して完了する。ここで、本発明のネットワーク網は、無線、有線を問わない。また、本発明のネットワーク網は、インターネットに限らず、高速・長距離・画像伝送診断機能等あらゆるネットワーク通信網も含まれることは、いうまでもない。
次に、図１（ロ）は、本発明の委託先によるネットワーク外観検査システム１の外観検査工程図である。外観検査工程について、具体的に説明すると、
第１工程は、検査前製品ストック４より、製品を１枚毎に検査ヤード６に搬送し、送信側ＰＣに自動読み込みを行う。
第２工程は、受信側マウス３をＸＹ移動することにより、送信側カメラ２が連動移動し、外観検査の画像を拡大して受信側ＰＣに取り込む。ここで、送信側カメラは、ＣＣＤカメラを使用した。
第３工程は、受信側ＰＣに画像を表示した状態で、目視検査を行う。
第４工程は、良品と不良品に区分けした検査結果データを受信側キーボード操作により、それぞれ送信側ＰＣのＯＫ品ストック７とＮＧ品ストック９に搬出することにより、委託先の外観検査工程は完了する。
最後に、外観検査は、約２００枚程度で終了し、次の送信ステーションに自動切換えになるように設定してある。
【産業上の利用可能性】
【０００８】
今迄、ＦＰＣの外観検査を例に取り、説明してきたが、ＦＰＣに限るものではない。また、外観検査に限らず、幅広い用途に適用可能である。
【０００９】
委託先も、外部の会社に限らず、人件費が安い自社の海外子会社等に利用すれば有効である。
【図面の簡単な説明】
【００１０】
【図１】（イ）は、本発明の委託先によるネットワーク外観検査システム１の概略図である。（ロ）は、本発明の委託先によるネットワーク外観検査システム１の外観検査工程図である。
【符号の説明】
【００１１】
１    本発明の委託先によるネットワーク外観検査システム
２    送信側カメラ
３    受信側マウス
４    検査前ストック
５    材料搬送用アーム
６    検査ヤード
７    ＯＫ品ストック
８    ＮＧ品ストック
【図１】
2007094771.tif 000003
(57)【要約】【課題】マトリクス状に配列されたＬＥＤ発光体の点滅制御により、文字や図形を表示する表示装置において、点灯しているＬＥＤ発光体と不点灯のＬＥＤ発光体とのコントラストの向上を図ることを目的とする。【解決手段】上記目的を達成するために本発明のＬＥＤ表示装置に係るＬＥＤ発光体１０は、光源となるＬＥＤ発光素子１１と、ＬＥＤ発光素子に電流を流すためのリード端子１５ａ、１５ｂと、ＬＥＤ発光素子１１は、レンズとなる樹脂モールド１２により覆われ、樹脂モールド１２の色をＬＥＤ発光素子１１の発光色と異なる色で着色したものである。【選択図】図１
2007094088.tif 000002
【特許請求の範囲】
【請求項１】
マトリクス状に配置された複数のＬＥＤ発光体の点滅制御により文字や図形を表示する表示装置において、前記ＬＥＤ発光体はＬＥＤ発光素子の発光色とレンズとなる樹脂モールドの色が異なる色であることを特徴とする表示装置。
【請求項２】
前記ＬＥＤ発光体の前記樹脂モールドの色は、前記発光色の色に比べ暗色系の色であることを特徴とする請求項１記載の表示装置。
【発明の詳細な説明】
【技術分野】
【０００１】
本発明は、マトリクス状に配列された複数のＬＥＤ発光体の点滅制御により、文字や図形を表示する表示装置に関し、特に表示内容のコントラストの向上に関するものである。
【背景技術】
【０００２】
従来から広告宣伝用の媒体として、複数のＬＥＤ発光体をパネル全体にマトリクス状に配列して、個々のＬＥＤ発光体の点滅制御により、文字や図形等による情報表示をする表示装置がある。
【０００３】
このような表示装置に使用されるＬＥＤ発光体は、図３のＬＥＤ発光体の断面図に示されるようにリード端子４ａ、４ｂ、ＬＥＤ発光素子３及びＬＥＤ発光素子３を覆うように形成され、レンズの役目を果たす樹脂モールド２などから構成される。
【０００４】
通常、単色のＬＥＤ発光体の場合、不点灯の場合でも発光色をわかるようにするため図３の樹脂モールド２の色は、発光色に近い色で着色されている。
【０００５】
しかしながら、夜間などの周囲が暗い環境下で表示する場合は、不点灯のＬＥＤ発光体は、点灯しているＬＥＤ発光体とのコントラストが明確になり、視認性は良いが、昼間などの周囲が明るい環境下においては、不点灯であっても着色が、発光色に近いため、コントラストが不明確になり、見づらくなる。
【０００６】
この対応としては、点灯させるＬＥＤ発光体に多く電流を流すことで輝度を上げ、点灯と不点灯のＬＥＤ発光体の輝度の差を大きくとることにより、コントラストを上げることが可能であるが、消費電力が大きくなるという新たな課題が発生する。
【０００７】
このような課題に鑑み、近年では、マトリクッス状に配列された複数のＬＥＤ発光体と概ね同じピッチで形成された多数の開口を有する黒色板状のマスク部材をＬＥＤ発光体が露出可能となるように配置することにより、コントラストの向上を図る構成がある（例えば、特許文献１）。
【０００８】
この構成によれば、コントラストの向上のため、ＬＥＤ発光体に流す電流を増加させる必要がない。
【特許文献１】特開２００３−１７３１４９号公報
【発明の開示】
【発明が解決しようとする課題】
【０００９】
しかしながら、先行文献１の構成は、新たな部材が必要になり、コストの面で課題があるとともに、組立ての点においても容易ではないという課題がある。
【００１０】
本発明は、前記課題に鑑み、消費電力を増加させる必要がなく、且つ新規部材を必要とせずコントラストの向上を図ることができる表示装置を提供することを目的とする。
【課題を解決するための手段】
【００１１】
上記目的を達成するために、本発明の請求項１記載の発明は、マトリクス状に配置された複数のＬＥＤ発光体の点滅制御により文字や図形を表示する表示装置において、前記ＬＥＤ発光体はＬＥＤ発光素子の発光色とレンズとなる樹脂モールドの色が異なる色である。
【００１２】
係る構成によれば、点灯しているＬＥＤ発光体の発光色と不点灯のＬＥＤ発光体の色が異なるため、コントラストが向上し、視認性を向上させることができる。
【００１３】
また、請求項２記載の発明は、請求項１記載の前記ＬＥＤ発光体の前記樹脂モールドの色は、前記発光色の色に比べ暗色系の色である。
【００１４】
係る構成によれば、更にコントラスト比が大きくなり、視認性を向上させることができる。
【発明の効果】
【００１５】
以上のように、本発明によれば、発光色とＬＥＤ発光体を構成する樹脂モールドの色を異なる色にするだけで、コントラストの向上を図ることができるため、ＬＥＤ発光体に流す電流を増加させる必要がないとともに、新規部材も必要としない。
【発明を実施するための最良の形態】
【００１６】
以下本発明の実施の形態について、図面を参照しながら説明する。
【００１７】
図１は、本発明の表示装置に係るＬＥＤ発光体の構成を示す断面図である。
【００１８】
図１に示されるように、ＬＥＤ発光体１０は、光源となるＬＥＤ発光素子１１と、ＬＥＤ発光素子に電流を流すためのリード端子１５ａ、１５ｂと、ＬＥＤ発光素子１１は、レンズとなる樹脂モールド１２により覆われ、樹脂モールド１２の色は、ＬＥＤ発光素子１１の発光色と異なる色で着色されている。
【００１９】
例えば、発光色が燈色のＬＥＤ発光素子１１であって、樹脂モールド１２の色を半透明の青色系の色で着色されたＬＥＤ発光体１０を発光させると、ＬＥＤ発光素子１１からの光は、減衰することなく燈色に発光する。
【００２０】
即ち、このようなＬＥＤ発光体１０を用いて、図２の外観図に示すように表示装置２０を構成し、「営業中」という文字を発光させた場合、「営業中」という文字の点灯部２５とそれ以外の不点灯部２１の色が異なるため、コントラストが明確になり、視認性が向上することになる。
【００２１】
更に、樹脂モールド１２の色を暗色系に色に着色することにより、点灯しているＬＥＤ発光体と不点灯のＬＥＤ発光体とのコントラスト比が大きくなるため、更に視認性の向上を図ることができる。
【００２２】
なお、従来から不点灯の場合でも発光色がわかるように、樹脂モールドの色を発光色に近い色に着色していることに関しては説明したが、表示装置のように多数のＬＥＤ発光体を基板上に実装する場合、予め発光色が判明したＬＥＤ発光体がテーピングされたものから自動で実装されるため、発光色を人間の目で判別する必要がないことは、言うまでもない。
【産業上の利用可能性】
【００２３】
本発明は、複数のＬＥＤ発光体の点滅により、文字や図形を表示する表示装置における点灯部と不点灯部のコントラスト比を上げる上で、有用な技術である。
【図面の簡単な説明】
【００２４】
【図１】本発明の表示装置に係るＬＥＤ発光体の断面図
【図２】本発明の表示装置の表示状態を示す外観図
【図３】従来の表示装置に係るＬＥＤ発光体の断面図
【符号の説明】
【００２５】
２、１２  樹脂モールド
３、１１  ＬＥＤ発光素子
【図１】
2007094088.tif 000003
【図２】
2007094088.tif 000004
【図３】
2007094088.tif 000005
(57)【要約】【目的】メインフレームにサブフレームを簡単に着脱でき、サブフレームを跳ね上げることができ、外観を高め実用性をも高めた眼鏡提供。【課題】メインフレームにサブフレームを着脱する際に、磁石やネジ等を使わず、スムーズな跳ね上げができる眼鏡提供。【解決手段】サブフレームにバネ性素材の丸線と、板バネを取り付けることにより、丸線のバネ性で着脱を可能にし、板バネによりスムーズな跳ね上げを可能にし、フロントバーを備えることにより、外観を高めたことにより解決した。【選択図】  図１
2007094006.tif 000002
【特許請求の範囲】
【請求項１】
テンプルに支持されたメインフレームのヨロイの外側に設けた穴に、サブフレームのリムの上部に設けた跳ね上げ機構部より連導したバネ性素材の丸線を差し込み着脱を可能としたことを特徴とする着脱式跳ね上げ機能付眼鏡フレーム。
【請求項２】
サブフレームのリムの上部に板バネとパイプを取り付け跳ね上げを可能としたことを特徴とする着脱式跳ね上げ機能付眼鏡フレーム
【発明の詳細な説明】
【技術分野】
【０００１】
本発明は、形状や色や材質の違う前枠を誰もが簡単に着脱でき、かつ、跳ね上げができることによりデザイン性や実用性を高めた着脱式跳ね上げ機能付眼鏡フレームに関するものである。
【背景技術】
【０００２】
従来の着脱式でかつ跳ね上げ機能を備えた眼鏡フレームは磁石やクリップ等で着脱し、バネや細かい部品を取り付けて跳ね上げる方法が取られてきた。
【０００３】
そのため眼鏡フレームの外観を損ねたり、簡単な衝撃によりサブフレームが離脱したりした。
【特許文献１】特願平１０−９２３１０
【特許文献２】特願平９−２８０６８０
【特許文献３】特願２００１−１３１４７
【発明の開示】
【発明が解決しようとする課題】
【０００４】
解決しようとする課題は、サブフレーム２をメインフレーム１に簡単に着脱でき、スムーズな跳ね上げが可能でありその機能にネジを使わずに、外観を損なわずしっかりと固定させることを課題とした。
【課題を解決するための手段】
【０００５】
本発明が上記課題を解決するために採用した手段を添付図面を参照して説明すれば次のとおりである。
【０００６】
すなわち本発明は、図１と図２で示すようにメインフレーム１のよろいに刻み９を入れ、バネ性素材で作られた丸線５の先端を刻み９と同形にし、刻み９に丸線５をはめ込むことにより、メインフレーム１とサブフレーム２を固定した。この際丸線５の太さと刻み９の幅を同じにしておく。
【０００７】
フロントバー４を備えたサブフレーム２に、板バネ１０をロー付等により取り付け、サブフレー２のリムの上部にパイプ６、７を取り付ける。
【０００８】
一端を刻み９と同形に加工した丸線５のもう一端をパイプ６、７に通し、キャップ８で、丸線５がパイプ７から抜けないようにする。この時、板バネ１０に接する部分の丸線５の断面を11のように加工しておく。これにより跳ね上げる角度の調整も可能である。
【０００９】
この丸線5のバネ性12を利用することにより、サブフレーム2の着脱を可能にし、丸線5と板バネ10を利用することにより、スムーズな跳ね上げを可能とした。
【発明の効果】
【００１０】
本発明はサブフレーム2にパイプ6、7に通した丸線5を利用することにより、ネジや磁石を使わず、着脱や跳ね上げを可能とし、フロントバー4を備えたことによりデザイン性を高めた。
【実施例】
【００１１】
図1と図においてメインフレーム1のヨロイ3にＬ字形の刻み9を入れておき、フロンとバー4を備えたサブフレーム2のリムの上部にパイプ６、７をロー付等により取り付けパイプ6と7の間に板バネ10を取りつける。
【００１２】
バネ性素材の丸線5をパイプに通し一端をキャップ8で固定し、もう一端を図のように曲げヨロイ３の刻み９と同形に加工する。このとき丸線5が板バネ10に接する部分の断面を11のようにすることにより、跳ね上げた際のレンズの固定角を変えることができ、安定する。
丸線5の開き角度12を内側に寄せることによりメインフレーム1とサブフレーム2がよりしっかりと固定する。
【００１３】
変更実施例として、板バネ10の代りにフロントバー4のパイプ6と７の間にふくらみを付けて、それにより丸線5を押さえて跳ね上げることにより、上部からの外観をよりよくした。
【００１４】
またヨロイ３の刻み9の形を変えることにより、メインフレーム1のデザイン性を増した。
【図面の簡単な説明】
【００１５】
【図１】本発明実施例における眼鏡。
【図２】本発明実施例における展開図
【符号の説明】
【００１６】
１  メインフレーム
２  サブフレーム
３  ヨロイ
４  フロントバー
５  丸線
６  パイプ
７  パイプ
８  キャップ
９  ヨロイの刻み
１０  板バネ
１１  丸線の断面図
１２  丸線の開き
【図１】
2007094006.tif 000003
【図２】
2007094006.tif 000004
(57)【要約】【課題】一般のデジタルカメラで撮影した写真プリントを、手軽に立体画像で見れるとよい。特殊撮影した航空写真では、双眼凸レンズを用いて、立体画像を見るものがあるが、一般のアルバムでも、これを見れるようにした。ただし、写真プリントの大きさは、双眼凸レンズで立体画像が見える横幅になる。（人の両眼距離７ｃｍとして、左右両画面を並べて幅約１４ｃｍ）。【解決手段】２台のデジタルカメラを１台に合体させ、２眼のレンズで、人間の両眼のように、２方向から同時撮影をすることによって、簡単に双眼凸レンズを用いて、立体画像を見ることが出来るようなデジタルカメラを作った。このとき、カメラは２つ折で、遠距離撮影か近距離撮影かに応じて開く角度を調節し撮影目標視点が並べて配置した左右液晶モニタ−の同じ位置（十文字線上）に来るようにして撮影する。【選択図】図１
2007135165.tif 000002
【特許請求の範囲】
【請求項１】
２台のデジタルカメラを１台に合体させた装置。
すなわち、１台のカメラに２眼のレンズを装着し、シャッタ−や露出ピントやメディアカ−ドなどは、２眼のレンズに同時同調（連動）させ、左右液晶モニタ−は、それぞれ十文字線を入れて、並べて配置する。
【請求項２】
上記（請求項１）のカメラ本体を、左右レンズの真ん中で、レンズを内側にして２つ折りにし、外側の左面には液晶モニタ−（２つ）、外側の右面には電源スイッチや各種メニュ−ボタンなどを配置する。
【発明の詳細な説明】
【技術分野】
【０００１】１台のデジタルカメラで、同時に２方向（間隔は人の両眼距離約７ｃｍ）から撮影できる２眼立体デジタルカメラを考案した。このとき、被写体の撮影目標視点は、左右両画面の同じ位置にあること。このため、左右の液晶モニタ−は十文字線を入れて並べて配置した。図１に示したカメラの２つ折りを開いた時、遠距離撮影か近距離撮影かに応じて開く角度を調節し、モニタ−で撮影視点が左右両画面の同じ位置（十文字線上）に来るようにして撮影する。（近距離撮影の場合、開く角度は、１８０度より小さくなる）
【背景技術】
【０００２】航空写真などでは、双眼凸レンズを用いて立体的に見るものがあるが、一般のアルバムでは立体写真を見ることはできなっかた。これを２眼立体デジタルカメラで撮影し、その写真プリントを立体的に見ることが出来る。
ただし、写真プリントの大きさは、双眼凸レンズで見える横幅になる（左右両画面を並べて幅約１４ｃｍ）。また、カメラレンズの視線と人の眼の視線を写真プリント上で一致させること。
【注意事項】
【０００３】これを商品にする場合には、個人の眼の体質、条件などによって、立体的に見られない人も、おられますから、販売にあたっては、店頭にて体験確認することを明記すること。  また、使用説明書には、眼の疲労に注意し長時間見つづけないこと、写真プリントで撮影目標視点が左右画面の同じ位置にない場合、無理をして立体像を見ないこと（カメラの視線と眼の視線が異なるから）、を明記すること。
【０００４】
【特許文献】
【発明の効果】
【０００５】（イ）ペット動物や野生動物やスポ−ツ選手の一瞬の貴重なポ−ズを立体画像として残すことができる。（この場合、カメラを開く角度；撮影距離をあらかじめ決めておいて、シャッタ−チャンスを待つ）
（ロ）絵ハガキなどの雄大な風景、絶景を立体画像として撮影することができる。
（ハ）親の死後、生前にこのカメラで撮影してあれば、親の姿を立体画像で見ることができる。
（ニ）結婚式や子供の記念写真アルバムとして立体画像で残すことができる。
（ホ）新型モデル車、ニュ−デザイン商品、ファッションドレス、流行ヘア−スタイル、建築関連商品、などを立体画像で提供できる。
（ヘ）２眼カメラでも、収納  携帯に便利である。
【実施例１】
【０００６】図３、で立体写真プリントの実施例を添付した。
【図面の簡単な説明】
【０００７】
【図１】本発明の２つ折りカメラを開く時の内面図である。
【図２】本発明の２つ折りカメラを開く時の外面図である。
【図３】本発明の実施例である。
【図４】航空写真などで使われる双眼凸レンズ（参照図）
【符号の説明】
【０００８】  １  デジタルカメラ本体
２  右眼レンズ
３  左眼レンズ
４  シャッタ−ボタン
５  ２つ折りチョウツガイ
６  ファインダ−
７  右フラッシュライト
８  左フラッシュライト
９  左眼液晶モニタ−（十文字線入り）
１０  右眼液晶モニタ−（十文字線入り）
１１  電源スイッチ
１２  各種メニュ−ボタン
【図１】
2007135165.tif 000003
【図２】
2007135165.tif 000004
【図３】
2007135165.tif 000005
【図４】
2007135165.tif 000006
(57)【要約】      （修正有）【課題】体や腕を動かしても外れにくいイヤホンを提供する。【解決手段】耳の大きさ、形に個人差があり、異なりますのでイヤホン軸にアームを付け、耳の上部凹から下部迄の調節が容易に出来るようスライド式にする事によって、耳の接触面は違和感が無く使用でき外れにくくなる。アームの円筒部を１箇所割れ目を入れています。割れ目からコードを潜らせて取り付ける。イヤホンに取付けるアームは取付け、取外しが簡単で個人の大きさに合わせられシンプルなためコストを抑えられる。【選択図】図１
2007135167.tif 000002
【特許請求の範囲】
【請求項１】
従来のイヤホンとそれに付くアームでスライド部を持つ２つの部品で構成、イヤホンは従来の使用状態で、スライドするアームを耳の上方凹部に入る形。
【請求項２】
前記請求項１による耳の上方凹部スライドするアーム上部に入り、接触する部分とイヤホンが耳の下部凹に入り込む事により、個人差がある耳の大きさをイヤホンとアームとの程良い長さに保たれる事が出来る構造。
【請求項３】
耳の上部凹にスライドするアームと下部凹に入り込むイヤホンがイヤホンに付くコードの下方又首の左右に振る動きにイヤホンが耳から離れようとするのを抑える事が出来る
【請求項４】
イヤホンとアームからなるシンプルな構造な為、組立取付が容易でコストが抑えられます。
【請求項５】
請求項１に記するスライド部は、円筒の一部を割る事と円筒の大きさを変えることにより、軸付きイヤホンの各メーカーに対応できる。
【請求項６】
スライド部分のアーム側円筒部は、弾力のある材質を選択する事により、耳と上部凹に当たる部分は強弱調整出来る構造。
【発明の詳細な説明】
【利用分野】
本品は耳上部凹と下部凹にスライド式アームが耳の形に合わせられる事によって、ある程度の動きにも耐えられる。
また耳に付けることによって両手を自由に使えられ歩行時にも会話もし、両手に荷物が持て自動車、農業、機械、工業、商社、事務、営業その他の作業等を続けながら聞く事が出来る。
【背景技術】従来の軸付イヤホンは耳の穴の下凹にだけ引っ掛けるため、上下左右の腕、体の動きを繰り返す事によって外れ易く外れる事に神経が奪われ話の内容に集中出来ない。
外れない方法としていろいろ有りますが、ヘッドホン式、耳の挟み耳の外側から引っ掛ける等々いずれも耳の周辺が嵩張り見かけも良くない。
【発明が解決しようとする課題】
１．本品を付ける事によって安心して両手が使え各種の作業の能率化が計れる。
２．本品を付ける事によってハード面によってある手近かな作業とソフト面の繋がり工程、打合せ等同時に終える事が出来る。
３．従来から使われている枝付（軸付）イヤホンに取付ける事も出来る。
【図面の簡単な説明】
【図１】▲１▼スライド式アーム  ▲２▼軸付（枝付）イヤホン  ▲３▼耳穴上部凹  ▲４▼耳穴下部凹  ▲５▼耳穴
【図１】
2007135167.tif 000003
(57)【要約】【課題】堅牢で、電気回路との接続が容易で、小型かつ低コストの高周波アンテナを提供する。【解決手段】プリント基板１上にスパイラル状素子２を片面印刷配線することによって部品点数を少なくし、堅牢で、低コストのアンテナを得る。また、素子をスパイラル形状とすることによって、４分の１波長アンテナ等に比べてアンテナを小型化する。また、給電点３をプリント基板外周付近に設けることによって電気回路との接続が容易となり、電気回路基板との一体化も可能となる。【選択図】図１
2007135164.tif 000002
【特許請求の範囲】
【請求項１】
片面プリント基板上にスパイラル形状の素子を印刷配線することを特徴とする移動通信機器用または固定通信機器用または自動車搭載用または船舶搭載用の小型高周波アンテナ。
【請求項２】
前記スパイラル形状の素子の最外周部に給電点を備えることを特徴とする請求項１記載のアンテナ。
【発明の詳細な説明】
【技術分野】
【０００１】  本発明は、例えば３１５ＭＨｚの周波数で使用される移動通信機器用、固定通信機器用、自動車搭載用、あるいは船舶等搭載用の小型の高周波アンテナに関するものである。
【背景技術】
【０００２】  例えば３１５ＭＨｚ付近の周波数で用いられる従来の小型アンテナとして、ループアンテナや約１／４波長のモノポールアンテナ等が知られている。
【発明の開示】
【発明が解決しようとする課題】
【０００３】  しかしながら以上の技術によれば、例えば３１５ＭＨｚの高周波信号は約１ｍの波長を有し、この帯域でループアンテナを設計すると例えば直径約１０ｃｍ、１／４波長モノポールアンテナを設計すると例えば長さ約２５ｃｍの寸法が必要で、小型化が困難である。ループアンテナの場合は巻線構造が必要で構造が複雑となり、コスト上も不利である。また、細い巻線を使用するため強度上も不利となる。【０００４】また、１／４波長モノポールアンテナの場合は形状が細長くなるため折れやすくなる等、強度上不利である。また、アンテナを接続先の電気回路と一体化してプリント基板上に直接実装することは、両者の素材が異なること、アンテナの寸法が大きくなることから困難である。このため、アンテナと接続先回路との間にコネクタやケーブル等を設け、これらを介して接続する必要がある。【０００５】そこで、この発明は、例えば３１５ＭＨｚの周波数で使用される、堅牢で、電気回路との接続や一体化が容易で、小型かつ低コストのアンテナを提供する。
【課題を解決するための手段】
【０００６】  上記課題を解決すべく、第一発明は、片面プリント基板上にスパイラル形状の素子を印刷配線することを特徴とする。【０００７】また、第二発明は、前記スパイラル形状の素子の最外周部に給電点を備えることを特徴とする。
【発明の効果】
【０００８】  本発明によれば、片面プリント基板上にスパイラル形状の素子を印刷配線するので、部品点数が少なく低コストが実現できる。プリント基板は片面基板を使用するので、両面基板よりも低コストが実現できる。【０００９】またスパイラル形状の素子を使用することにより１／４波長モノポールアンテナと素子の長さがほぼ同じでもアンテナ外形を小さくできる。アンテナの最外周部に給電点を備えるので、外部回路との接続が容易となり、電気回路を搭載した基板との一体化も可能となる。
【発明を実施するための最良の形態】
【００１０】  この発明の一実施形態を、図１に示す。ガラスエポキシ製の基板１の片面に、銅箔で形成されたスパイラル形状の素子２を配置し、その最外周部上に給電点３を有する。給電点３には同軸ケーブル４がはんだ付けされ、基板１全体を覆うようにエポキシ樹脂製のコーティング５が施される。【００１１】「実施形態の効果」
この実施形態によれば、アンテナ部分の部品点数がプリント配線板の１個のみで簡単に製作できる。このプリント配線板は片面基板でよいため安価である。素子をスパイラル形状に巻いてあるため、アンテナを小型化できる。また給電点が基板外周部分にあるため給電用の電線がアンテナ素子に交差せず、アンテナの特性への影響を抑えることができる。また全体が樹脂でコーティングされているため、素子に金属片等が接触して短絡することを防止することができ、室外環境におけるアンテナ素子の腐食も防止する効果がある。【００１２】「他の実施形態」
図１の実施形態では、基板材料にガラスエポキシを使用していたが、他の実施形態では、紙フェノール等、他の基板材料でもよい。また図１の実施形態では、同軸ケーブルを接続してアンテナへの給電を行っていたが、他の実施形態では、アンテナと接続先の電気回路も一体化したプリント基板としてもよい。
【図面の簡単な説明】
【００１３】
【図１】この発明の一実施形態を示す図である。
【符号の説明】
【００１４】  １  ガラスエポキシ製基板
２  基板の片面に銅箔でプリント配線されたスパイラル形状のアンテナ素子
３  給電点
４  給電用の同軸ケーブル
５  エポキシ樹脂のコーティング
【図１】
2007135164.tif 000003
(57)【要約】【課題】足腰の悪い人たちがズボンをスムーズに、はける補助具とする。【解決手段】踏み板・底板のあいだに空間があるため、ズボンがひっかからずにはける補助具とする。【選択図】図１
2007135747.tif 000002
【特許請求の範囲】
【請求項１】
回転する鉄心棒に固定された固定版の上下する2枚の踏み板をズボンの、すそを入れやすいように斜めに動かし、すその方から胴体部分まで順次差し込み、平行に戻した踏み板に両足で立ち、ズボンを引き上げるとスムーズにズボンが腰まで上がってくることを特徴とするズボンはき補助具。
【発明の詳細な説明】
【技術分野】
【０００１】
本発明は、立つことができれば容易にズボンをはくことができる補助具に、関するものである。
【背景技術】
【０００２】
通常ズボンをはく行為は、両足を通して、片足立ちであるいは座ったままの姿勢で、さらには寝ころんでの状態で何とかできていた。
【０００３】
しかし、手足・腰がさっと曲がらない高齢者、何らかの障害がある等の為、足元でズボンのすそが引っかかりスムーズにひきあげることが
できないという欠点があった。
【０００４】
ズボンがうまくはけないということは、自立意欲を失わせ、より介護を求めてしまう等、前向きに生きる生活を阻害してしまうという  
などの問題があった。
【発明の開示】
【発明が解決しようとする課題】
【０００５】
解決しようとする問題点は、ズボンがひっかかる等してスムーズにはけない点に加え
前向きに生きようとする意欲を阻害してしまうという点にもつながっていくことである
【課題を解決するための手段】
【０００６】
本発明は、踏み板を斜めにしてズボンのすそから踏み板に差込み,踏み板を水平にし手摺をもって踏み板にのれば、そのまま簡単にズボンを引きあげることができるという
ことを最も主要な特徴とする。
【発明の効果】
【０００７】
本発明の効果は、立つことができる人なら、踏み板（台）の上にあがるという
リハビリ行為もかねてズボンはきが簡単になる
という利点がある。
【発明を実施するための最良の形態】
【０００８】
ズボンを簡単にスムーズにはくという目的を、最小の部品点数で、木材のあたたかさを利用し構造材と使用した。
【実施例１】
【０００９】
図１は、本発明装置の実施例の側面図であって、また、1は踏み板、2は底板、3は鉄芯棒4は手摺、5は1の踏み板を水平に止める為の止め板である。回転する鉄心棒に固定された固定版の上下する2枚の踏み板をズボンの、すそを入れやすいように斜めに動かし、すその方から胴体部分まで順次差し込み、平行に戻した踏み板に両足で立ち、ズボンを引き上げるとスムーズにズボンが腰まで上がってくる。
【図面の簡単な説明】
【００１０】
【図１】側面図を示した説明図である。
【図２】斜視図である。
【符号の説明】
【００１１】
１踏み板
２底板
３鉄芯棒
４手すり
５止め板
【図１】
2007135747.tif 000003
【図２】
2007135747.tif 000004
(57)【要約】【課題】  従来技術は、ブレスレットとバッグを可撓性のある連繋部材（例えば、装飾チェーン）で連繋したもので、手提ハンドルや手提紐を設けず、可撓性の連繋部材で連繋したもので、ブレスレットを手首に嵌めない場合は、バッグを手提げる上で大変不便であった。【解決手段】  バッグ１主体表面とブレスレット２外周面に各種動物の毛皮３をあしらい、バッグ１の提手４を兼用する連結具の一方端はバッグ１主体の口金６等を有する開口部５を外した部位に連繋固設し、他方端は前記ブレスレット２に固設し、さらにブレスレット２主体の形状が円柱状であって、その両端にリング状に宝石８をあしらったブレスレット付バッグ。【選択図】図１
2007135999.tif 000002
【特許請求の範囲】
【請求項１】
バッグ主体表面とブレスレット外周面に各種動物の毛皮をあしらい、バッグの提手を兼用する連結具の一方端はバッグ主体の口金等を有する開口部を外した部位に連繋固設し、他方端は前記ブレスレットに固設し、さらにブレスレット主体の形状が円柱状であって、その両端にリング状に宝石をあしらったことを特徴とするブレスレット付バッグ。
【発明の詳細な説明】
【技術分野】
【０００１】
本発明は、ハンドバッグ、セカンドバッグ、ポーチ等のバッグ類において、動物の毛皮をバッグ主体表面にあしらい、このバッグ主体表面にあしらった毛皮と同一の毛皮をブレスレット主体表面にあしらい、提手兼用になるように連結具で一体化することで、装飾的に勝れている上に引ったくりや置き忘れの恐れのないブレスレット付バッグに関するものである。
【背景技術】
【０００２】
従来のバッグ主体の提手部が、該バッグ主体に可撓性のある連繋部材をもって連繋されたブレスレットにより形成されている手提げバッグ（例えば、特許文献１参照）が存在している。
【特許文献１】実開平５−５８０２７号公報（実用新案登録請求の範囲の欄、考案の詳細な説明の欄の｛実施例｝の段落｛０００５｝〜｛０００７｝の説明、及び図１、図２を参照）
【発明の開示】
【発明が解決しようとする課題】
【０００３】
本発明に係るブレスレット付バッグは、バッグ主体表面に動物の毛皮をあしらい、これに共生地になるように、円柱状のブレスレット主体外周面に動物の毛皮をあしらい、円柱状ブレスレット主体の両端外周面に宝石を配設したバッグで、次の課題を解決することが目的である。
従来の技術は、バッグ主体の提手部が、該バッグ主体に可撓性のある連繋部材をもって連繋されたブレスレットにより形成されている手提げバッグであるが、これはブレスレットとバッグを可撓性のある連繋部材（例えば、装飾チェーン）で連繋したもので、手提ハンドルや手提紐を設けず、可撓性の連繋部材で連繋したもので、ブレスレットを手首に嵌めない場合は、バッグを手提げる上で大変不便であり、ブレスレットとバッグ主体と共生地である点は述べられているが、動物の毛皮をバッグ主体とブレスレットにあしらってなく、しかもブレスレットとしても装飾的に勝れた動物の毛皮と宝石をあしらうことで装飾性を高めることが目的である。
【課題を解決するための手段】
【０００４】
上記課題を解決するための本発明の第１発明は、請求項１に記載された通りのブレスレット付バッグであり、次のようなものである。
バッグ主体表面とブレスレット外周面に各種動物の毛皮をあしらい、バッグの提手を兼用する連結具の一方端はバッグ主体の口金等を有する開口部を外した部位に連繋固設し、他方端は前記ブレスレットに固設し、さらにブレスレット主体の形状が円柱状であって、その両端にリング状に宝石をあしらう構成である。
【発明の効果】
【０００５】
本発明に係るブレスレット付バッグは、上記説明のような構成を有するので、以下に記載する効果を奏する。
（１）バッグ主体表面とブレスレット表面を動物の毛皮で覆うように設けたので、アクセサリー的要素に加えて、装飾性を高めると共に、バッグ主体の手提げをブレスレットとの連繋部材と兼用させることにより、手提げることもできるし、ブレスレットを手首に嵌めて使用すれば、置き忘れや引ったくりを防止することができる。
（２）ブレスレットの両端外周表面に宝石を埋設してあるので、装飾性が極めて高くなった。
【発明を実施するための最良の形態】
【０００６】
バッグ主体表面とブレスレット外周面に各種動物の毛皮をあしらい、バッグの提手を兼用する連結具の一方端はバッグ主体の口金等を有する開口部を外した部位に連繋固設し、他方端は前記ブレスレットに固設し、さらにブレスレット主体の形状が円柱状であって、その両端にリング状に宝石をあしらったブレスレット付バッグである。
【実施例】
【０００７】
図１は、本発明に係る一実施例を示すもので、バッグ１とブレスレット２を提手部を利用して連結した状態を示す斜視図である。
本発明には、バッグ１主体の表面に動物の毛皮３をあしらい、円柱状のブレスレット２主体の外周面にバッグ１主体の表面にあしらった動物の毛皮３と同一の動物の毛皮３を設けることにより、共地の視覚感を生ずるようにしたものである。
【０００８】
以下、図１に示す実施例に基づいて詳細に説明する。
バッグ主体の表面に動物の毛皮３を被覆してあしらったバッグ１と、前記バッグ１主体の表面に被覆した動物の毛皮３と同一のものを円柱状ブレスレットの外周面に被覆してあしらい、共地の視覚感を得られるようにする。
さらに、バッグ１の主体とブレスレット２の連繋には、バッグ１の提手４としての機能を持たせるようにして、バッグ１の開口部５の口金６を外して外側に開口部５を挟むように、端部７を固設し、この提手４をブレスレット２の円柱状本体の中央外側に固設することで常時、バッグ１とブレスレット２が連結された状態になっている。
さらに、ブレスレット２の円柱状本体の外周両端にリング状に多数の宝石８を埋設して取り付けてある。
尚、図中９はファスナーを示し、開口部５にファスナーを用いた実施例を示しているが、各種口金を採用することができる。
バッグ１とブレスレット２は、提手４によって連繋部材とするので、この提手４を連繋するために連繋用突片や、この連繋用突片に提手取付孔を設けることで、提手４によりバッグ１とブレスレット２を連繋するものである。
【０００９】
以上のような構成を有するので、ブレスレット２を手首に装着すれば、バッグ１は自動的に携行することになり、ブレスレット２を外さない限り、バッグ１を引ったくられたり、置き忘れたり、置き引きに合うことはなくなる。
しかも、バッグ表面とブレスレット表面に同一の動物の毛皮を被覆してあり、さらにブレスレットには宝石８が取り付けられているので、アクセサリー的要素が高められ、興趣深く勝れた装飾効果があるものである。
【産業上の利用可能性】
【００１０】
各種バッグ、ポーチ等に利用することができる。
【図面の簡単な説明】
【００１１】
【図１】本発明の一実施例に係るブレスレット付バッグを示す斜視図である。
【符号の説明】
【００１２】
１・・・・バッグ                        ２・・・・ブレスレット
３・・・・動物の毛皮                    ４・・・・提手
５・・・・開口部                        ６・・・・口金
７・・・・端部                          ８・・・・宝石
【図１】
2007135999.tif 000003
(57)【要約】【課題】スライサーの食材の切り出し滑走を容易にし、食材が大きくても小さくても最後まで指先を防護し安全に切り出すことのできる食材の支持具を提供する。【解決手段】食材を滑走させ切り出せるスライサーの食材の支持具であって、滑走体へ伸縮性のある軟質弾性材から成る平面部材を張着したことを特徴とする食材の支持具。【選択図】  図１
2007135648.tif 000002
【特許請求の範囲】
【請求項１】
食材を滑走させ切り出せるスライサーの食材の支持具であって、滑走体へ伸縮性のある軟質弾性材から成る平面部材を張着したことを特徴とする食材の支持具。
【請求項２】
滑走体に平面部材を掛け留める突起を設け、平面部材に突起に嵌合する複数の留め穴を設け、滑走体へ張着する軟質弾性材には軟質ゴム或いは軟質樹脂を用いたことを特徴とする請求項１の食材の支持具。
【請求項３】
滑走体へ張着する平面部材全体に孔を設けたことを特徴とする請求項１の食材の支持具。
【請求項４】
滑走体へ張着する平面部材を網状に形成したことを特徴とする請求項１の食材の支持具。
【発明の詳細な説明】
【技術分野】
【０００１】
本発明は、スライサーにより食材を滑走させて切り出す時に用いる、食材の支持具に関するものである。
【背景技術】
【０００２】
従来、食材を滑走させ切り出せるスライサーの食材の支持具には、食材を複数の針に差し留め固定したり複数の爪を食材に当てる支持具があった。
【発明の開示】
【発明が解決しようとする課題】
【０００３】
従来からある食材を滑走させ切り出すスライサーの食材の支持具には、次のような問題点があった。
大きな食材を覆い留めることができず食材があらかじめ小さくしないと使用できない。上部から食材を差し留める仕様のため、様々な形状の食材全体を押えることが難かった。スライサーに用いる安全で使いやすい支持具がなく、スライサーは便利であっても注意が必要な危険な調理作業を伴いスライサーの刃で指先を切る怪我をされた方が多い。
本発明は、これらの問題点を解決するためになされたものである。
【課題を解決するための手段】
【０００４】
食材を滑走させ切り出せるスライサーの食材の支持具であって、滑走体へ伸縮性のある軟質弾性材から成る平面部材を張着した。以上を特徴とする食材の支持具である。
【発明の効果】
【０００５】
張着した伸縮性のある軟質弾性材から成る平面部材により、様々な形状の食材全体を覆い押え確実に保持することができ、食材を薄切り器具に圧接することができる。スライサーの食材の切り出し滑走を容易にし、食材が大きくても小さくても最後まで指先を防護し安全に切り出すことができる。
【発明を実施するための最良の形態】
【０００６】
以下、本発明の実施の形態にについて説明する。
（イ）支持具となる滑走体（２）は、手の平で掴むことができ、食材を覆うことができる左右の垂直壁と上部を覆い繋ぐ略円弧形状が形成され、スライサー（８）の側面上部を滑走させる滑走面（５）が設けられ、スライサー（８）から滑走体（２）の外れを防止するためにスライサー（８）の左右の側面を遊嵌し接触する枠壁（６）が設けられている。滑走体（２）には伸縮性のある平面部材（１）を張着するために左右の垂直壁の最上部の前後の端には４箇所の平面部材（１）を掛け留める突起（３）が設けられ、左右の垂直壁の最下部２箇所に平面部材（１）を通す横穴（４）が設けられ、横穴（４）は張着した平面部材（１）を切刃に接触させないためにスライサー（８）と接する滑走面（５）とは僅かな隙間を隔てた位置に形成されている。
【０００７】
（ロ）滑走体（２）に張着する平面部材（１）には、伸縮性のある軟質弾性材の軟質ゴムを用い、張着強度を調節する滑走体（２）の突起（３）に嵌合する複数の留め穴（７）が四隅に設けられている。平面部材（１）の四隅に設けられた留め穴（７）部分と両端部分は、留め穴（７）の欠損防止と突起（３）へ留め易くするために厚味をもたせ、他の部分は薄幕とされ大きな伸縮性を得ると同時に食材を留め易くするために平面部材（１）の全体に孔が形成されている。平面部材（１）の薄幕は網状に形成することもできる。
【０００８】
（ハ）伸縮性のある平面部材（１）を滑走体（２）の左右の横穴（４）へ通し滑走体（２）の４箇所の突起（３）へ平面部材（１）の留め穴（７）を嵌着することにより、伸縮性のある平面部材（１）が滑走体（２）に張着され、スライサー（８）に用いる食材を滑走して切り出す食材の支持具ができる。同時に、平面部材（１）は滑走体（２）の左右の垂直壁の外側を覆うため手で掴む支持具の滑り止め効果を得ることができる。
【０００９】
本発明は以上のような構成で、これを使用するときは、滑走体（２）の左右の垂直壁を手で掴み、滑走体（２）の滑走面（５）がスライサー（８）に接触するまで、スライサー（８）に乗せた食材を平面部材（１）で上から覆い押え込む。圧接された食材を枠壁（６）に沿って前後に滑走させ、スライサー（８）の食材の切り出しを補助し指先を防護した安全な調理作業ができる。
滑走体（２）の内側に収まれば、様々な形状の食材全体を押えることができ大きくても小さくても最後まで切り出すことができる。圧接が弱くなり食材が動く場合は四隅に設けられた平面部材（１）の留め穴（７）を差し替え張着強度を調節することにより圧接を保つことができる。滑走体（２）に張着する平面部材（１）には、伸縮性のある軟質弾性材である軟質ゴムのシリコーンゴム或いは軟質樹脂のエラストマー等を用いることができる。
【図面の簡単な説明】
【００１０】
【図１】本発明の実施例を示す斜視図
【図２】本発明の一部断面を表す正面図
【図３】本発明の要部である平面部材の平面図
【図４】本発明の実施例を示す正面図
【符号の説明】
【００１１】
１  平面部材
２  滑走体
３  突起
４  横穴
５  滑走面
６  枠壁
７  留め穴
８  スライサー
【図１】
2007135648.tif 000003
【図２】
2007135648.tif 000004
【図３】
2007135648.tif 000005
【図４】
2007135648.tif 000006
(57)【要約】【課題】のどの痛み風邪をスーパーマーケットにある素材でジュースを作り治す。【解決手段】コップに一個梅干しと蜂蜜適量と生姜汁と番茶かさ湯適量のジュースを作り治す。【特許請求の範囲】
【請求項１】
（イ）コップに一個梅干しを入れる。
（ロ）蜂蜜を適量入れる。
（ハ）生姜汁を適量入れる。
（ニ）番茶かさ湯を適量入れる。
以上の如く風邪気味の前かもしくは風邪をひいたらのどの痛みを治し風邪を体に害なく半分は漢方薬に近く治すジュースである。
【発明の詳細な説明】
【技術分野】
【０００１】  本発明は、のどジュースに関する。
【背景技術】
【０００２】  従来、民間療法にものどジュースはなかった。
【発明の開示】
【発明が解決しようとする課題】
【０００３】  従来、民間療法にものどジュースはなかったので実現する。
【課題を解決するための手段】
【０００４】  コップに一個梅干しと蜂蜜適量と生姜汁適量と番茶かさ湯適量のジュースを作り飲む。
【発明の効果】
【０００５】  のどの痛みと風邪を治すことを可能とする。
【発明を実施するための最良の形態】
【０００６】    以下、本発明の実施例について時系列的論理的に文章で説明する。先ず、コップに一個梅干しと蜂蜜適量と生姜汁適量と番茶かさ湯適量のジュースを作り飲む。それでのどの痛みと風邪を治すことを可能とするジュース。
【実施例】
【０００７】    上記の如く実施される。
【産業上の利用可能性】
【０００８】    民間療法にはこのようなジュースはなくのど痛み取りジュースは漢方飲料水で産業上の利用可能性は高いと解される。
(57)【要約】【課題】  ゴルフクラブのヘッド用ステンレス合金を提供する。【解決手段】  Mn29〜33%、A17.5〜11%、Cr1.5〜3.5%、Si0.8〜1.2%、C0.4〜0.8%、S0〜0.03%、P0〜0.06%、残部Fe55〜60%により構成する。上記元素構成によるステンレス合金の比重は7.0±0.5で、一般の３０４ステンレス鋼の比重８．０よりも比重が小さく、またその硬度は85〜90であって、ゴルフクラブに要求される要件を満たすため、ゴルフクラブヘッドに規定される重量の範囲内でよりサイズの大きいヘッドを採用することができ、クラブヘッドの性能を向上することができる。【特許請求の範囲】
【請求項１】
Mn29〜33%、A1 7.5〜11%、Cr 1.5〜3.5%、Si 0.8〜1.2%、C 0.4〜0.8%、S 0〜0.03%、P 0〜0.06%含有し、残部Fe 55〜60%よりなり、
上記元素組成によるステンレス合金の比重が7.0±0.5で、その硬度85〜90である、ことを特徴とするゴルフクラブヘッド用ステンレス合金。
【発明の詳細な説明】
【技術分野】
【０００１】
本発明は、一種のステンレス合金に関する。特に一般のステンレス合金より比重が小さく、ゴルフクラブのヘッドに応用して、その性能を向上させることができるゴルフクラブのヘッド用ステンレス合金に係る。
【背景技術】
【０００２】
一般のステンレス合金は適当な、比率のクロム(Cr)、ニッケル(Ni)、マンガン(Mn)、ケイ素(Si)、炭素(C)、イオウ(S)、リン(P)などの元素により構成される。その比重値(g/cc)は約8.0±0.5で、硬度(HRB)は約89〜95である。例えばType304のステンレス鋼は18〜20%のクロム(Cr)、8〜10.5%のニッケル(Ni)、2.0%のマンガン(Mn)、10.%のケイ素(Si)、0.08%の炭素(C)、0.03%のイオウ(S)、0.045%のリン(P)により構成され、その比重値は8.0で、硬度値は89〜100である。
ステンレスは良好な耐蝕性を備え、かつその硬度値などの条件がゴルフクラブヘッドの関連要件に適合するため、現在では多くのゴルフクラブメーカーがクラブのヘッドをステンレス材質により製造している。
ゴルフクラブのヘッドは種類、形式、角度、用途の差異により一定の番号を配するが、各番号のクラブヘッドには一定範囲の重量、角度の制限がある(例えば、5番アイアンのヘッドの重量上の制限は254gと規定されている)。
一方、使用者のグリップの方式、姿勢の癖、スイングの速度などはすべてそれぞれ異なるため、ボールを打ち出す方向に左右偏移の状況が見られがちだが、これはクラブヘッドの重心位置が良くないか、或いは重心位置が使用者の使用習慣に適していないためである。そのため、メーカー(或いは使用者)は錘を増加する方式により重心の問題を解決しようとして来た。しかし一般に錘を増加する方式はクラブヘッド規定の特定重量の制限を受けざるを得ず、また錘の重量が不足すると、ボールを打撃する時に満足なインパクト効果が得られない。
【特許文献１】特公平６−９９７７５号公報
【発明の開示】
【発明が解決しようとする課題】
【０００３】
公知構造には以下の欠点があった。
すなわちゴルフクラブ使用者のグリップの方式、姿勢の癖、スイングの速度などはそれぞれ異なるため、ボールを打ち出す方向が左右に偏移する傾向が見られるが、これを解決するため、メーカー(或いは使用者)は錘を増加する方式を選択して来た。しかし一般に錘を増加する方式はクラブヘッド規定の特定重量の制限を受けざるを得ず、錘の重量が不足していれば、ボールを打撃する時に満足な効果が得られない。
本発明は上記構造の問題点を解決したゴルフクラブのヘッドに応用するステンレス合金を提供するものである。
【課題を解決するための手段】
【０００４】
上記課題を解決するため、本発明は下記のゴルフクラブのヘッドに応用するステンレス合金を提供する。
それは主にステンレス合金を提供し、該合金は一般のステンレス合金に比べ比重値が低く、ゴルフクラブヘッドの製造に用いられ品質を向上させることができることを特徴とするゴルフクラブのヘッドに応用するステンレス合金である。
【発明の効果】
【０００５】
上記のように、本発明はゴルフクラブのヘッドの材質を同一の体積、硬度の条件下で、その比重値を低下させ、その錘の重量、範囲を増加させ、さらには同一のクラブヘッドの硬度、重量により、クラブヘッドの体積を増加させることにより、クラブヘッドの打球効果を向上させることができる。すなわち本発明のステンレス合金はより低い比重値を提供することにより、ゴルフクラブヘッドの成型、製造に応用され、クラブヘッドの品質を向上させることができ、極めて高い産業利用性を具える。
【発明を実施するための最良の形態】
【０００６】
本発明のステンレス合金は、Mn29〜33%、A17.5〜11%、Cr1.5〜3.5%、Si0.8〜1.2%、C0.4〜0.8%、S0.03%、P0.06%、残部鉄Feにより構成する。
上記の成分構成のステンレス合金の硬度値は85〜95で、比重値は7.0±0.5である。
上記ステンレス合金はゴルフクラブヘッドの製造に応用され、比重値が低いため、クラブヘッドの外観形状、重心など設計の幅を拡大することができる。
すなわち、304ステンレス合金(比重値は8.0)により製造する5番アイアンのヘッドの重量は254gであるが、本発明のステンレス合金(比重値7.0) により製造する5番アイアンのヘッドの重量は254gとなる。そのため、クラブヘッドの体積が同一とすれば、304ステンレス合金により製造する5番アイアンのヘッドの重量は254gであるから、本発明のステンレス合金により製造する5番アイアンのヘッドの重量は222.25gとなる。
すなわち、254g(304ステンレス合金クラブヘッドの重量)÷8(304ステンレス合金の比重値)×7(本発明ステンレス合金の比重値)＝222.5g(本発明ステンレス合金クラブヘッドの重量)であって、304ステンレス合金クラブヘッドの重量−本発明ステンレス合金クラブヘッドの重量＝31.75gとなる。
31.75÷254＝12.5%(本発明が増加可能な錘の重量のパーセンテージ)であるから、体積が同じであるという条件において、本発明のステンレス合金により製造するクラブヘッドは一般のステンレス合金により製造するクラブヘッドに比べて規格上重さ12.5%分に相当する余地があるということができる。
言い換えれば、本発明の低比重のステンレス合金は一般のステンレス合金に比べクラブヘッドの重さが同一であるという条件下でいえば、クラブヘッドの体積を増加させることができ、クラブヘッドの設計の自由度を向上させ、クラブヘッドの品質を高めることができる。